(57)【要約】【課題】流木の直撃など衝撃を受けたときに、浮力の低下を最小限に抑えることを課題とする。【解決手段】本発明は、重りを付けたネット２０に対して、その長手方向に沿って複数個のフロート体３０を一列状に取り付けた網場であって、前記フロート体３０は、一つにまとめた状態に保持された複数個の空ペットボトル４０からなる。本発明では、フロート体３０を複数の空ペットボトル４０により構成しており、流木の直撃を受けたとしても、一部の空ペットボトル４０が破損するだけで済む。そのため、フロート体３０は、破損した空ペットボトル４０分の浮力を失うものの、残る空ペットボトル４０の浮力分は維持することが可能であり、流木直後であっても、浮力が完全に失われることはない。【選択図】図７
2011074736.tif 000002
【特許請求の範囲】
【請求項１】
重りを付けたネットに対して、その長手方向に沿って複数個のフロート体を一列状に取り付けた網場であって、
前記フロート体は、一つにまとめた状態に保持された複数個の小フロートからなることを特徴とする網場。
【請求項２】
前記小フロートは、浮力を有する容器であることを特徴とする請求項１に記載の網場。
【請求項３】
前記容器は、ペットボトルであることを特徴とする請求項２に記載の網場。
【発明の詳細な説明】
【技術分野】
【０００１】
本発明は、流木、ごみなどの塵芥をせき止める網場に関する。
【背景技術】
【０００２】
網場は、重りを付けたネットに対して、その長手方向に沿って複数個のフロート体を一列状に取り付けたものである。係る網場はダム、貯水池などの水取入口に対して、これを横切るように設置されて流木、ごみなどの塵芥をせき止める機能を果たす。下記特許文献１には、この種の網場に使用されるフロート体の構成例として、ポリエチレンなどの合成樹脂よりなる外皮に発泡スチロールなどの発泡材を注入して形成したものが開示されている。
【先行技術文献】
【特許文献】
【０００３】
【特許文献１】特開平９−２７９５４８号公報
【発明の概要】
【発明が解決しようとする課題】
【０００４】
上記特許文献１に記載のフロート体は耐久性に優れ、かつ相応の浮力を得られるものの、高値である。また、フロート体には中空フロートも知られているが、中空フロートは流木の直撃を受けて一部が破損すると、そこから水が入り浮力が失われるという欠点があった。
本発明は上記のような事情に基づいて完成されたものであって、流木の直撃など衝撃を受けたときに、浮力の低下を最小限に抑えることを課題とする。
【課題を解決するための手段】
【０００５】
本発明は、重りを付けたネットに対して、その長手方向に沿って複数個のフロート体を一列状に取り付けた網場であって、前記フロート体は、一つにまとめた状態に保持された複数個の小フロートからなる。尚、ここで言う「一つにまとめた状態に保持」には、複数個の小フロートを紐状のもので縛って保持する保持形態、複数個の小フロートを袋に入れて保持する保持形態が少なくとも、含まれる。
【０００６】
本発明では、フロート体を複数の小フロートにより構成しているので、流木の直撃を受けたとしても、一部の小フロートが破損するだけで済む。そのため、フロート体は、破損した小フロート分の浮力を失うものの、残る小フロートの浮力分は維持することが可能であり、流木直撃後であっても、浮力が完全に失われることはない。そのため、流木直撃後であっても、水面に浮いてネットを張り続けることが可能となり、流木、ごみなどの塵芥をせき止めることが可能である。
【０００７】
この発明の実施態様として、以下の構成とすることが好ましい。
小フロートを、浮力を有する容器（その一例としてペットボトル）にする。ペットボトルなどの容器であれば、安価でありコストメリットが高い。また、資源のリサイクルにもなるので、環境対策の一環としても、有効である。
【発明の効果】
【０００８】
本発明によれば、流木の直撃を受けたときに、浮力の低下を最小限に抑えることが可能となり、衝撃に強い網場を提供できる。
【図面の簡単な説明】
【０００９】
【図１】本発明の一実施形態に係る網場の分解斜視図
【図２】フロート体の斜視図
【図３】網場の正面図
【図４】網場の斜視図
【図５】網場の設置例を示す斜視図
【図６】網場の使用状態を示す断面図
【図７】流木の直撃により、一部の空ペットボトルが破損した状態を示す断面図
【図８】他の実施形態を示す図
【発明を実施するための形態】
【００１０】
＜一実施形態＞
本発明の一実施形態を図１ないし図７によって説明する。本発明の網場１０は、ネット２０と、ロープ２５と、複数個のフロート体３０と、重り６０を備えてなる。
【００１１】
ネット２０は、合成繊維（例えば、ポリエステル糸など）を網目状に編みこんだものであり、図１に示す幅方向に長い形状をなす。尚、ネットの目合いとしては、３０ｍｍ程度が好ましい。
【００１２】
ロープ２５はネット２０の全長より長く、ネット２０の上縁部に取り付けられている。ロープ２５の端は、ネット２０の端から側方に張り出す構成となっている。このロープ２５は、設置箇所にネット２０を固定するためのものである。重り６０はいわゆるタイヤチェーンであって、ネット２０の下縁部に、一定間隔を空けて取り付けられる構成となっている。
【００１３】
フロート体３０は、図２に示すように、キャップ４５により栓をした空ペットボトル（例えば、内容量５００ｍｌの縦長形状のもの）を数本重ねて、紐状の結束バンド５０により一つにまとめて保持したものである（図２参照）。尚、ペットボトル４０は同一形状のものを使用することが好ましく、又向きを交互にして重ねると、結束バンド５０で締め付けたときに締まり易くしっかり拘束できる。
【００１４】
上記フロート体３０は図１に示すように、拡げたネット２０上に一列に並べて配置される。そして、ネット２０の上縁を一列状に並ぶフロート体３０を一括して包むように折り返しつつ（図１中のＡ矢印参照）、ネット２０に重ねて縫合することで、ネット２０にフロート体３０が固定される構成となっている。尚、図３に示すように、ネット上部の左右両端部は、いずれも紐２７などにより締め上げつつ縫合される構成となっている。これにより、ネット２０に包まれたフロート体３０は、横ずれ（幅方向への位置ずれ）が規制された状態となる。
【００１５】
以上説明したように、本網場１０は、重り６０を付けたネット２０に対して、その長手方向（幅方向）に沿って複数個のフロート体３０を一列状に取り付けた構成となっており、かつ各フロート体３０は各々、複数本の空ペットボトル４０より構成されている（図４参照）。
【００１６】
次に、網場１０の使用例と効果について説明する。図５に示すように、網場１０はダム、貯水池などの水取入口８０に対して、これを横切るように設置される。具体的には、水取入口８０の両側に設けられた鉄柵なの支持物（図略）にロープ２５の先端をそれぞれ固定することで、水取入口８０に設置される構成となっている。
【００１７】
設置された網場１０は、フロート体３０より上の部分が水面に浮いた状態になる。そのため、流木、ごみなどの塵芥は、網場１０によりせき止められることとなり、水取入口８０に、これら塵芥が流入することを阻止できる。また、塵芥の一部はフロート体３０の下を潜ろうとするが、水面下には重りによりネット２０が張られた状態にあるので、フロート体３０の下潜る塵芥についても、やはり、せき止めることが可能である。
【００１８】
さて、本網場１０は、フロート体３０を複数本の空ペットボトル４０により構成している。そのため、図７に示すように、流木Ｂの直撃を受けた場合、流木Ｂが直撃する一部の空ペットボトル４０は破損するものの、衝撃をそれで吸収できるから、それらペットボトル４０の周囲に位置する残りの空ペットボトル４０はまず破損しない。例えば、図７の例であれば、黒く塗り潰した空ペットボトル４０は破損するものの、フロート体３０を構成するそれ以外の空ペットボトル４０は破損しない。
【００１９】
そのため、フロート体３０は、流木Ｂの直撃によって、破損した空ペットボトル４０に対応する分の浮力は失うものの、残る空ペットボトル４０に対応する分の浮力は維持することが可能であり、浮力が完全に失われることはない。
【００２０】
従って、流木Ｂの直撃を受けたにも拘わらず、そのフロート体３０は、水面に浮いてネット２０を張り続けることが可能となり、水取入口８０に流れ込もうとする流木、ごみなどの塵芥をせき止められる。このように、本網場１０は、流木の直撃など外部から衝撃を受けたときに、浮力の低下を最小限に抑えることが可能であり、衝撃を受けた後においても、塵芥を確実にせき止めることが可能である。
【００２１】
また、フロート体３０は、複数本の空ペットボトル４０を結束バンド５０で結束したものであり、ある程度の力を加えれば、相互に動き得る。そのため、流木Ｂの直撃を受けた場合に、空ペットボトル４０が動いて衝撃を緩和するように作用する。そのため、同じ流木Ｂの直撃を受けた場合であっても、従来に見られるような単一構成のフロート体に比して、受ける衝撃そのものを小さくすることが可能となり、このような観点からしても、外部からの衝撃に対して強い構造となる。
【００２２】
また、このものでは、フロート体３０を空ペットボトル４０により構成している。空ペットボトル４０であれば、安価でありコストメリットが高い。また、特に、使用済みの廃ペットボトル４０を使用すれば、資源のリサイクルになるので、環境対策の一環としても有効である。
【００２３】
＜他の実施形態＞
本発明は上記記述及び図面によって説明した実施形態に限定されるものではなく、例えば次のような実施形態も本発明の技術的範囲に含まれる。
【００２４】
（１）上記実施形態では、小フロートの一例として空ペットボトル４０を例示したが、小フロートは空ペットボトル４０に限定されるものではなく、例えば、空ペットボトル４０に替えて、キャップにより蓋をしたアルミ製の飲料容器であってもよい。また、飲料容器以外にも、例えば、中空のボール（軟式テニス球、ピンポン球など）を使用することが可能である。尚、中空のボールを一つにまとめた状態に保持するには、袋に入れて口を縛ればよい。また、ボールを入れる袋は、目の細かいネットで構成するとよい。
【００２５】
（２）上記実施形態では、網場１０を単独で使用する例を示したが、例えば、図８に示すように、複数個の網場１０をロープ２５によって横並び状に連結させて使用することも、無論可能である。
【符号の説明】
【００２６】
１０…網場
２０…ネット
３０…フロート体
４０…空ペットボトル（本発明の「容器」に相当）
５０…結束バンド
６０…重り
【図１】
2011074736.tif 000003
【図２】
2011074736.tif 000004
【図３】
2011074736.tif 000005
【図４】
2011074736.tif 000006
【図５】
2011074736.tif 000007
【図６】
2011074736.tif 000008
【図７】
2011074736.tif 000009
【図８】
2011074736.tif 000010